(57)【要約】      （修正有）【課題】使用範囲を広げ、共用性及び性能を向上した、骨錐穴カバー装置を提供する【解決手段】骨錐穴カバー装置Ａは、少なくとも上部締め付け部品３０と下部締め付け部品５０を含んで構成され、上部締め付け部品が第１基部３１と第１結合部を備え、下部締め付け部品が少なくとも第２基部５１と、第１結合部３２に結合される第２結合部５２を含み、第２基部が第１アーム５１１と第２アーム５１２により構成され、第１アームと第２アームが形成する合計長さが鑽孔の直径より大きく、かつ第１アームの長さが第２アームの長さより大きく制御され、これにより、第１アームと第２アームに長短の配置を形成することで、第１アームと第２アームを斜めに挿入して鑽孔下端部に位置決めでき、あらゆる部位の骨の鑽孔を覆うことができ、操作上非常に迅速かつ簡便で、鑽孔を最小孔径に維持し、骨の構造破壊を最低限に抑えることができる。【選択図】図１
2020044315.tif 000002
【特許請求の範囲】
【請求項１】
骨錐穴カバー装置であって、少なくとも、上部締め付け部品と、下部締め付け部品を含んで構成され、
該上部締め付け部品が、第１基部と、該第１基部に設けられた第１結合部を備え、
該下部締め付け部品が、少なくとも、第２基部と、該第２基部に設けられ、かつ該第１結合部と結合可能な第２結合部を含み、
該第２基部が、少なくとも１つの第１アームと、少なくとも１つの第２アームで構成され、
該第１アームと該第２アームが形成する合計長さが、鑽孔の直径より大きく、該第１アームの長さが該第２アームの長さより大きくなるよう制御して長短の配置を形成した
ことを特徴とする、骨錐穴カバー装置。
【請求項２】
前記第１結合部と該第２結合部が、ネジ孔とボルトの螺合を形成する
ことを特徴とする、請求項１に記載の骨錐穴カバー装置。
【請求項３】
前記第１結合部がリングであり、底部に通り穴を設けた凹部が該リングに凹設され、かつナットが該凹部内に組み込まれ、
該第２結合部が該ナットと螺合可能なボルトである
ことを特徴とする、請求項１に記載の骨錐穴カバー装置。
【請求項４】
前記第１結合部がリングであり、該凹部の内側表面に嵌込み溝が凹設され、かつ該凹部内にナットが組み込まれ、該ナットの外側表面に該嵌込み溝内に嵌め込んで枢結可能な凸リングが凸設され、該第２結合部が該ナットと螺合可能なボルトであり、該ナットと該上部締め付け部品を枢結し、該ナットと該ボルトを螺合して回動させたとき、該上部締め付け部品が連動して回動されないが、該ナットに動かされて上下移動する可動式ホック構造が形成された
ことを特徴とする、請求項３に記載の骨錐穴カバー装置。
【請求項５】
前記第１結合部が係止孔であり、該第２結合部が細長いベルト部材であり、該ベルト部材に該係止孔と係合させて位置決めする歯止め部が設けられた
ことを特徴とする、請求項１に記載の骨錐穴カバー装置。
【請求項６】
前記第２アームの長さが該リングの半径より大きい
ことを特徴とする、請求項３または４に記載の骨錐穴カバー装置。
【請求項７】
前記第２アームの長さが該鑽孔の半径より大きい
ことを特徴とする、請求項１に記載の骨錐穴カバー装置。
【請求項８】
前記第１アームと該第２アームが適切な幅の片状体であり、該第２結合部の中心線を中心として長短を成して配置され、該第１アームと該第２アームが一体成形で連接された
ことを特徴とする、請求項１に記載の骨錐穴カバー装置。
【請求項９】
前記第１アームと該第２アームが適切な幅の片状体であり、該第２結合部の中心線を中心として長短を成して配置され、該第１アームと該第２アームが分離した部材であり、かつ折り畳み機能を備えた可動式軸着により連接された
ことを特徴とする、請求項１に記載の骨錐穴カバー装置。
【請求項１０】
前記第１アームが該第２結部を延伸して形成され、該第１アームに該第２アームを入れて収容できる凹部が凹設され、該第２アームに、該第２結合部に挿着される挿着部が設けられ、かつ該第２結合部を軸として展開または折り畳まれることを特徴とする、請求項９に記載の骨錐穴カバー装置。
【請求項１１】
前記ナットの上端部に手術工具の結合に供する第１位置決め部が設けられ、該ボルトの内部に該手術工具の結合に供する内ネジ孔が形成された
ことを特徴とする、請求項３または４のいずれかに記載の骨錐穴カバー装置。
【請求項１２】
前記第１位置決め部が、該ナットの上端部周縁に凹凸状に周設されるか、または端面に少なくとも２つの凹孔構造が設けられ、該ボルトの内ネジ孔に該ボルト及び該第２基部に貫通し、排出管の挿入に供する貫通孔が形成された
ことを特徴とする、請求項１１に記載の骨錐穴カバー装置。
【請求項１３】
前記第１基部に手術工具の結合に供する凹状または凸状の第１位置決め部が設けられた
ことを特徴とする、請求項２に記載の骨錐穴カバー装置。
【発明の詳細な説明】
【技術分野】
【０００１】
本発明は使用範囲を広げ、共用性及び性能を向上した、骨錐穴カバー装置に関する。
【背景技術】
【０００２】
先行技術である台湾特許公告第Ｉ６０９６７０号「頭蓋骨固定装置及びその手術用具」は、出願人により研究開発された創作であり、当局の審査を経て特許が認められた発明である。この頭蓋骨固定装置は少なくとも下部締め付け部品と可動式ホック部品を含み、可動式ホック部品を外スリーブに固定する時、頭骨外表面の間に一定の距離をおいて配置することが可能であり、頭蓋骨を埋め込んで元の位置に戻しやすくすることができる。
【０００３】
前述の固定装置は、閉鎖用頭蓋骨固定の臨床操作上便利且つ先進的であるが、この下部締め付け部品は円形の構造であり、かつその円形の外径が鑽孔の内径より大きいため、元の切り出した閉鎖用頭骨蓋を頭骨に戻して固定するためだけに適用でき、単純にモニター装置やプローブの設置、またはドレナージ管での排液のために設けられた単一の鑽孔に対しては、該下部締め付け部品を該鑽孔から頭骨内に挿入して設置することができないため、該鑽孔を覆うために用いることができず、鑽孔を別のもので覆う必要があり、上述の発明は閉鎖用頭蓋骨の固定または鑽孔カバーに共用する機能を具備させることができない。さらに、骨移植手術のように、人体のその他の部位で骨を切り取る場合、例えば大腿骨、手骨、足骨、胸骨等の骨に鑽孔する必要がある、または手術器具を相隣する骨に穴を開けて設置しなければ手術の操作を行うことができない場合も、同様に穴を開ける骨に鑽孔する必要がある。上述の発明の下部締め付け部品は同様に該単一の鑽孔から挿入して設置することができず、骨の単一の鑽孔を覆うために用いることはできない。また、これらの鑽孔を覆わずに空洞を残した状態にすると、軟組織、硬組織によって埋められやすく、正常な骨の増生に影響するほか、これらの鑽孔がカバーによる保護がない状態下で少しでも外力を受けると損傷が発生しやすく、現在医学界で解決が求められている問題となっている。
【先行技術文献】
【特許文献】
【０００４】
【特許文献１】台湾特許公告第Ｉ６０９６７０号明細書
【発明の概要】
【発明が解決しようとする課題】
【０００５】
本発明の目的は、使用範囲を広げ、共用性及び性能を向上した、骨錐穴カバー装置を提供することにある。
【課題を解決するための手段】
【０００６】
上述の目的及び効果を達成するため、本発明が採用する技術手段は以下を含む。
【０００７】
本発明の骨錐穴カバー装置は、少なくとも、上部締め付け部品と、下部締め付け部品を含んで構成され、該上部締め付け部品が、第１基部と、該第１基部に設けられた第１結合部を備え、該下部締め付け部品が、少なくとも、第２基部と、該第２基部に設けられ、かつ該第１結合部と結合可能な第２結合部を含み、該第２基部が、少なくとも１つの第１アームと、少なくとも１つの第２アームから構成され、該第１アームと該第２アームが形成する合計長さが鑽孔の直径より大きく、かつ該第１アームの長さが該第２アームの長さより大きくなるよう制御され、長短の配置が形成される。
【０００８】
そのうち、該第２アームの長さが鑽孔の半径より大きい。
【０００９】
そのうち、該第１アームと該第２アームが適切な幅の片状体であり、該第２結合部の中心線を中心として長短を成して配置され、該第１アームと該第２アームが一体成形で連接される。
【００１０】
そのうち、該第１アームと該第２アームが適切な幅の片状体であり、該第２結合部の中心線を中心として長短を成して配置され、該第１アームと該第２アームが分離した部材であり、折り畳み機能を備えた可動式軸着により連接される。
【００１１】
以下この考案について説明する。請求項１に記載する骨錐穴カバー装置は、少なくとも、上部締め付け部品と、下部締め付け部品を含んで構成され、該上部締め付け部品が、第１基部と、該第１基部に設けられた第１結合部を備え、該下部締め付け部品が、少なくとも、第２基部と、該第２基部に設けられ、かつ該第１結合部と結合可能な第２結合部を含み、該第２基部が、少なくとも１つの第１アームと、少なくとも１つの第２アームで構成され、該第１アームと該第２アームが形成する合計長さが、鑽孔の直径より大きく、該第１アームの長さが該第２アームの長さより大きくなるよう制御して長短の配置を形成する。
【００１２】
請求項２に記載する骨錐穴カバー装置は、請求項１における第１結合部と該第２結合部が、ネジ孔とボルトの螺合を形成する。
【００１３】
請求項３に記載する骨錐穴カバー装置は、請求項１における第１結合部がリングであり、底部に通り穴を設けた凹部が該リングに凹設され、かつナットが該凹部内に組み込まれ、該第２結合部が該ナットと螺合可能なボルトである。
【００１４】
請求項４に記載する骨錐穴カバー装置は、請求項３における第１結合部がリングであり、該凹部の内側表面に嵌込み溝が凹設され、かつ該凹部内にナットが組み込まれ、該ナットの外側表面に該嵌込み溝内に嵌め込んで枢結可能な凸リングが凸設され、該第２結合部が該ナットと螺合可能なボルトであり、該ナットと該上部締め付け部品を枢結し、該ナットと該ボルトを螺合して回動させたとき、該上部締め付け部品が連動して回動されないが、該ナットに動かされて上下移動する可動式ホック構造が形成される。
【００１５】
請求項５に記載する骨錐穴カバー装置は、請求項１における第１結合部が係止孔であり、該第２結合部が細長いベルト部材であり、該ベルト部材に該係止孔と係合させて位置決めする歯止め部が設けられる。
【００１６】
請求項６に記載する骨錐穴カバー装置は、請求項３または４における第２アームの長さが該リングの半径より大きい。
【００１７】
請求項７に記載する骨錐穴カバー装置は、請求項１における第２アームの長さが該鑽孔の半径より大きい。
【００１８】
請求項８に記載する骨錐穴カバー装置は、請求項１における第１アームと該第２アームが適切な幅の片状体であり、該第２結合部の中心線を中心として長短を成して配置され、該第１アームと該第２アームが一体成形で連接される。
【００１９】
請求項９に記載する骨錐穴カバー装置は、請求項１における第１アームと該第２アームが適切な幅の片状体であり、該第２結合部の中心線を中心として長短を成して配置され、該第１アームと該第２アームが分離した部材であり、かつ折り畳み機能を備えた可動式軸着により連接される。
【００２０】
請求項１０に記載する骨錐穴カバー装置は、請求項９における第１アームが該第２結部を延伸して形成され、該第１アームに該第２アームを入れて収容できる凹部が凹設され、該第２アームに、該第２結合部に挿着される挿着部が設けられ、かつ該第２結合部を軸として展開または折り畳まれる。
【００２１】
請求項１１に記載する骨錐穴カバー装置は、請求項３または４におけるナットの上端部に手術工具の結合に供する第１位置決め部が設けられ、該ボルトの内部に該手術工具の結合に供する内ネジ孔が形成される。
【００２２】
請求項１２に記載する骨錐穴カバー装置は、請求項１１における第１位置決め部が、該ナットの上端部周縁に凹凸状に周設されるか、または端面に少なくとも２つの凹孔構造が設けられ、該ボルトの内ネジ孔に該ボルト及び該第２基部に貫通し、排出管の挿入に供する貫通孔が形成される。
【００２３】
請求項１３に記載する骨錐穴カバー装置は、請求項２における第１基部に手術工具の結合に供する凹状または凸状の第１位置決め部が設けられる。
【発明の効果】
【００２４】
これにより、該第１アームと該第２アームに長短部分を形成した配置を利用して、該下部締め付け部品を斜め方向に鑽孔に向かって挿入すれば、円滑かつ迅速に該第１アームと該第２アームを鑽孔内の下端部に挿入して位置決めすることができ、あらゆる部位の骨の鑽孔も覆うことが可能となり、操作上非常に迅速かつ簡便で、鑽孔を最小孔径に維持し、骨の構造破壊を最低限に抑えることができる。また、閉鎖用頭蓋骨の固定に使用するときは、該第１アームと第２アームを閉鎖用頭蓋骨と頭骨に横架してそれぞれ押さえることができ、共用使用範囲と性能を効果的に向上し、先行技術の不足点を改善できる。
【図面の簡単な説明】
【００２５】
【図１】本発明の立体分解図である。
【図２】本発明の仰視立体分解図である。
【図３】本発明の下部締め付け部品の断面図である。
【図４】本発明を骨の単一鑽孔のカバーに用いた断面図である。
【図５】本発明の図４のＡ−Ａ線での断面図である。
【図６】本発明の第１アームと第２アームを異なる角度で連接した状態を示す概略図である。
【図７】本発明の第１アームと第２アームをＹ字形に連接した状態を示す概略図である。
【図８】本発明の第１アームと第２アームの可動式軸着の展開を俯瞰した概略図である。
【図９】本発明の図８の折り畳んだ状態の断面図である。
【図１０】本発明と手術用具を組み合わせた立体図である。
【図１１】本発明の図１０の下部締め付け部品を斜めに鑽孔に向かって挿入する操作を示す断面図である。
【図１２】本発明の図１０の下部締め付け部品を斜めに挿入して第１アームと第２アームを鑽孔下端部内に位置決めした状態を示す断面図である。
【図１３】本発明の図１０の手術工具が可動式ホック部品を下へ移動させ、下部締め付け部品と螺合して鑽孔を挟んで覆った後引き抜かれる動作を示す立体図である。
【図１４】本発明の図１０を頭骨の鑽孔内に埋め込み、閉鎖用頭蓋骨を被せる操作を示す立体図である。
【図１５】本発明の上部締め付け部品に第２基部からずれた箇所で花弁部を切断して切れ込みを形成し、排出管の挿入に供した状態を示す立体図である。
【図１６】本発明の排出管を第２基部からずれた上部締め付け部品のスリット溝内に挿入して位置規制した状態を示す立体図である。
【図１７】本発明の第１結合部と第２結合部にそれぞれ形成されたリング、ナット及びボルトを結合した別の実施例の断面図である。
【図１８】本発明の第１結合部と第２結合部にそれぞれ形成されたネジ孔とボルトの結合を示す断面図である。
【図１９】本発明の第１結合部と第２結合部に係止孔と拘束部材を形成した結合の実施例１を示す立体透視図である。
【図２０】本発明の図１８の部分断面図である。
【図２１】本発明の第１結合部と第２結合部に係止孔と拘束部材を形成した実施例２を示す立体透視図である。
【発明を実施するための形態】
【００２６】
まず、図１から図１６に示す本発明の骨錐穴カバー装置Ａは、どの部位の骨の鑽孔を覆うかに関わらず、骨錐穴カバー装置Ａと手術工具Ｂの連結構造及び操作方法は、同一出願人が研発開発した先行技術台湾特許公告第Ｉ６０９６７０号と同じであるため、ここでは説明を省略し、以下でこの部分については簡単な説明に留めることを先に説明しておく。
【００２７】
以下で頭骨の単一鑽孔を覆うために本発明を使用する実施例について説明する。本発明は骨のあらゆる部位の鑽孔を覆うために使用できるため、これに限定されない。
【００２８】
図１から図７に示すように、本発明の骨錐穴カバー装置Ａは、少なくとも、上部締め付け部品３０と、下部締め付け部品５０を含む。
【００２９】
該上部締め付け部品３０は、少なくとも第１基部３１と、該第１基部３１に設けられた第１結合部３２を含む。該第１基部３１が板状または円盤状であり、その円盤の外周縁に複数のスリット溝３１１で間を隔てられた複数の花弁部３１２が設けられ、該複数の花弁部３１２は、その厚さが外周縁に向かって徐々に薄くなっており、頭骨７０に嵌入し、しっかりと挟んで固定させやすくなっている。該第１結合部３２は底部に通り穴３２３を設けた凹部３２２のリングであり、かつナット３３が該凹部３２２内に組み込まれ、また該凹部３２２の内側表面に嵌込み溝３２１が凹設され、さらに該通り穴３２３に内切面３２４が設けられる。該ナット３３の上端部周縁に手術工具Ｂの結合に用いる第１位置決め部４２が周設される。好ましくは、該第１位置決め部４２は該ナット３３の上端部周縁に凹凸状に周設するか、または下端面に少なくとも２つの凹孔構造（図示しない）が凹設される。該ナット３３の外側表面に該凹部３２２の内側表面の嵌込み溝３２１と枢結される凸リング４１が設けられ、該ナット３３と該下部締め付け部品５０の第２結合部５２（ボルト）を螺合して回動させたとき、該上部締め付け部品３０は連動して回動されないが、ナット３３に動かされて上下移動する可動式ホック構造が形成される。
【００３０】
該下部締め付け部品５０は、少なくとも適切な幅の片状の第２基部５１と、第２結合部５２を含む。該第２結合部５２はナット３３を螺合するボルトであり、該第２結合部５２（ボルト）の内部に、手術工具Ｂの結合に用いる内ネジ孔５３が設けられ、第２結合部５２（ボルト）に該通り穴３２３の内切面３２４に対応する外切面５２１が設けられる。また該第２基部５１が、第１アーム５１１と、少なくとも１つの第２アーム５１２より構成され、かつ該第１アーム５１１と該第２アーム５１２が、該第２結合部５２（ボルト）の中心線Ｚを中心として長短の配置を形成し、さらに該第１アーム５１１と該第２アーム５１２が形成する合計長さＸ＋Ｙが鑽孔７３の直径Ｄより大きく、かつ第１アームの長さＸが第２アームの長さＹより大きく、該第２アームの長さＹが鑽孔７３の半径Ｒ１より大きくなるよう制御する。または、該第２アームの長さＹを第１結合部３２（リング）の半径Ｒ２より大きくし、該第２アームの長さＹは該鑽孔７３の半径Ｒ１より小さいが、手術操作上は挿入した後装置を第２アーム５１２の短辺に向かって移動させれば、該第１結合部３２（リング）を鑽孔７３の内側壁面に当接させて、該第１アーム５１１と該第２アーム５１２を位置決めして鑽孔７３の下端部両側にそれぞれ横架し、嵌置させることができ、且つ、該第１基部５１の幅は鑽孔７３の直径より小さい。
【００３１】
図５から図７に示すように、該第１アーム５１１と該第２アーム５１２は第２結合部５２（ボルト）の中心線Ｚを中心として一字形の連結を形成するか、また異なる角度の連結を形成するか、或いはＹ字形の連結を形成する。また、上述の第１アーム５１１と第２アーム５１２は一体成形で連接されるか、または図８、図９に示すように、該第１アーム５１１と第２アーム５１２を分離した部材とし、即ち該第１アーム５１１が該第２結合部５２（ボルト）を延伸して形成され、かつ該第１アーム５１１に第２アーム５１２を入れて収容できる凹部５１１１が凹設され、該第２アーム５１２に挿着部５１２１が設けられ、該第２結合部５２（ボルト）に挿着され、かつ該第２結合部５２（ボルト）を軸として展開または折り畳むことができ、また図に示すように該第２アーム５１２は複数あり、これらの第２アーム５１２が該第２結合部５２（ボルト）に内と外に重ねて挿着され、かつ相隣する下方の第２アーム５１２に、上方の第２アーム５１２を重ねて可動的に収容する凹部５１２２が同様に凹設される。
【００３２】
図４から図１３に本発明を使用して骨の鑽孔を覆う操作を示す。まず、本発明の骨錐穴カバー装置Ａを予め手術工具Ｂと連結して位置決めし、１つの組立体を形成する。本発明は、該下部締め付け部品５０の第２基部５１が適した幅を備えた片状体であり、かつ該第１アーム５１１と該第２アーム５１２に長短の配置が形成されていることが特徴であり、これにより、組立体全体を斜め方向に持ち、該下部締め付け部品５０を斜めに該鑽孔７３に向かって挿入すると、円滑かつ迅速に該第１アーム５１１と該第２アーム５１２を該鑽孔７３内に入れて位置決めし、かつ鑽孔７３下端部両側に横架させることができ、続いて手術工具Ｂにより上部締め付け部品３０を動かして下へ移動させ、該ナット３３と下部締め付け部品５０の第２結合部５２（ボルト）を螺着すると、該ナット３３が上部締め付け部品３０を動かして下へ移動させ、第１アーム５１１及び第２アーム５１２としっかり挟んで固定でき、同時に該上部締め付け部品３０で該鑽孔７３を覆うことができ、操作上非常に便利かつ迅速である。
【００３３】
図１４に本発明を閉鎖用頭蓋骨の固定に使用する場合を示す。まず、本発明の骨錐穴カバー装置Ａは同様に予め手術工具Ｂと連結して位置決めされ、１つの組立体が形成される。直接骨錐穴カバー装置Ａと手術工具Ｂを同時に一緒に頭骨７０の鑽孔７３位置に埋め込むとき、本発明の下部締め付け部品５０の第２基部５１が長短の配置を呈する第１アーム５１１と第２アーム５１２を備えているため、閉鎖用頭蓋骨７２と頭骨７０の底部に横架してそれぞれ押さえることができ、続いて手術工具Ｂにより上部締め付け部品３０を動かして下へ移動させ、ナット３３と第２結合部５２（ボルト）を螺合させて下へ移動させると、該上部締め付け部品３０を動かして締め、下部締め付け部品の第１アーム５１１及び第２アーム５１２との間に挟持力を生じさせ、閉鎖用頭蓋骨７２をしっかりと挟んで頭骨７０上に固定でき、操作上非常に便利かつ迅速である。
【００３４】
本発明を閉鎖用頭蓋骨の固定に使用し、同時に排出管機能を追加設置する場合、図３、図４に示すように、該第２結合部５２（ボルト）の内ネジ孔５３が第２基部５１まで続いて貫通され、排出管（図示しない）を挿入する貫通孔５３１が形成される。または、図１５に示すように、該上部締め付け部品３０の該第２基部５１の該下部締め付け部品５０からずれた箇所で花弁部３１２を切断して切れ込み３１３を形成し、排出管８０の挿入に供することができる。または、図１６に示すように、上部締め付け部品３０の複数のスリット溝３１１を概ね鍵穴の形状に形成し、排出管８０の管径より小さい開口３１４と、排出管８０の管径より大きい位置規制孔３１５を具備させ、排出管８０の嵌入と位置規制に供することができる。これにより、本発明は該下部締め付け部品５０の第２基部５１１を適切な幅を有する片状体に形成しているため、図１５、図１６に示す異なる構造のいずれも適用可能であり、いかなる構造の変更も必要なく、適用範囲がより広範である。
【００３５】
上述の本発明の骨錐穴カバー装置Ａはあらゆる部位の骨の鑽孔７３を被覆するか、または閉鎖用頭蓋骨７２を挟んで固定した後、先行技術と同様に、手術工具Ｂの外スリーブ６０を上に移動させ逆方向に回動させると、手術工具Ｂを骨錐穴カバー装置Ａから迅速に取り出すことができる。反対に、骨錐穴カバー装置Ａまたは閉鎖用頭蓋骨７２を取り出すときは、逆方向の操作をすれば装置１０を頭骨（骨）７０から取り出すことができ、本発明は埋め込み、取り出しのいずれの操作も非常に迅速かつ便利に行うことができる。
【００３６】
本発明が提供する骨錐穴カバー装置Ａは、その他従来技術と比較して、次のような利点がある。 
【００３７】
１、本発明の下部締め付け部品５０は、該第１アーム５１１及び該第２アーム５１２を長短の配置とし、かつその幅が鑽孔７３の直径より小さく形成することにより、該第下部締め付け部品５０を鑽孔７３に向かって斜めに挿入するだけで、簡単に該第１アーム５１１及び該第２アーム５１２を斜めに挿入して鑽孔７３の下端部内に位置決めすることができ、あらゆる部位の骨の鑽孔７３を覆うために使用できる。操作上非常に迅速かつ簡便であり、鑽孔７３を最小孔径に維持して骨構造の破壊を最低限に抑えることができる。
【００３８】
２、本発明を閉鎖用頭蓋骨の固定に使用する場合、該第１アーム５１１及び該第２アーム５１２に長短の配置を形成したことにより、閉鎖用頭蓋骨７２と頭骨７０に横架してそれぞれ挟んで押さえることができ、あらゆる骨の鑽孔または閉鎖用頭蓋骨の固定のいずれにも適用できるため、共用使用範囲と性能を効果的に向上することができる。
【００３９】
３、本発明を閉鎖用頭蓋骨の固定に用い、排出管８０を追加設置する必要がある場合、該第２基部５１が適切な幅を備えた片状体であり、また長短の配置を備えているため、いかなる構造も増設する必要がなく、上部締め付け部品３０を変えるだけでよいため、下部締め付け部品５２の変更を省略し、製造コストを効果的に抑えることができる。
【００４０】
４、本発明は上述の優れた効果の進歩性を備えているほか、先行技術の諸々の効果も当然変わらず維持しており、相対して本発明は機能と効果がより増進され、より進歩的である。
【００４１】
また、本発明の第１結合部３２及び第２結合部５２の結合方式は多様であり、上述した結合方式のほか、図１７に示すように、該第１結合部３２Ａのリング及びナットが単純な嵌合であり、該第２結合部５２Ａがボルトの別の結合の実施例とすることができる。または、図１８に示すように、該第１結合部３２Ｂ及び第２結合部５２Ｂにそれぞれ内ネジ孔とボルトを形成した結合方式とすることもできる。或いは、図１９、図２０の拘束部材で結合する実施例１に示すように、該第１結合部３２Ｃには内部に弾性係止部３２５を備えた係止孔を形成し、該第２結合部５２Ｃには適切な長さを有するストリップ状のベルト部材を形成し、該ベルト部材の少なくとも一面に該係止部３２５と係合させることができるラチェット状の歯止め部５２２を設けることができる。または、図２１の拘束部材で結合する実施例２に示すように、該第１結合部３２Ｄに上が小さく下が大きい錐状の係止孔を形成し、該第２結合部５２Ｄを細長い棒状のベルト部材として、該ベルト部材の細長い棒上に間隔をあけて錐状の該係止孔と係合させることができる複数の凸錐状の歯止め部５２２を凸設する。ベルト部材を係止孔に穿設した後、手術工具Ｃを組み合わせ、該上部締め付け部品３０を動かして該下部締め付け部品５０に向けて移動させ、締め付けて固定し、鑽孔を覆う。
【符号の説明】
【００４２】
Ａ        骨錐穴カバー装置
３０        上部締め付け部品
３１        第１基部
３１１        スリット溝      
３１２        花弁部
３１３        切れ込み
３１４    開口
３１５    位置規制孔     
３２、３２Ａ、３２Ｂ、３２Ｃ、３２Ｄ    第１結合部
３２１    嵌込み溝
３２２    凹部      
３２４        内切面
３２３        通り穴      
３２５        係止部
３３        ナット       
４１        凸リング
４２        第１位置決め部    
５０        下部締め付け部品
５１        第２基部     
５１１    第１アーム
５１２    第２アーム     
５１１１、５１２２    凹部
５１２１    挿着部
５２、５２Ａ、５２Ｂ、５２Ｃ、５２Ｄ    第２結合部
５２１        外切面
３２２    歯止め部
５３        内ネジ孔
５３１        貫通孔     
６０        外スリーブ
７０        頭骨       
７２        閉鎖用頭蓋骨
７３        鑽孔       
８０        排出管
Ｂ、Ｃ        手術工具    
Ｚ        中心線
Ｘ        第１アーム長さ     
Ｙ        第２アーム長さ
Ｒ１        鑽孔半径     
Ｒ２        第１結合部（リング）半径
Ｄ        鑽孔直径
【図１】
2020044315.tif 000003
【図２】
2020044315.tif 000004
【図３】
2020044315.tif 000005
【図４】
2020044315.tif 000006
【図５】
2020044315.tif 000007
【図６】
2020044315.tif 000008
【図７】
2020044315.tif 000009
【図８】
2020044315.tif 000010
【図９】
2020044315.tif 000011
【図１０】
2020044315.tif 000012
【図１１】
2020044315.tif 000013
【図１２】
2020044315.tif 000014
【図１３】
2020044315.tif 000015
【図１４】
2020044315.tif 000016
【図１５】
2020044315.tif 000017
【図１６】
2020044315.tif 000018
【図１７】
2020044315.tif 000019
【図１８】
2020044315.tif 000020
【図１９】
2020044315.tif 000021
【図２０】
2020044315.tif 000022
【図２１】
2020044315.tif 000023